(57)【要約】【課題】吹出口から吹き出される単位時間当たりの風量を従来のものより多くし、多くの空気を衣類に当てて衣類の含まれる水分の蒸発を促進させ、衣類が乾燥するまでの時間を短くする浴室衣類乾燥装置を提供すること。【解決手段】浴室内に干された衣類の乾燥を行う浴室衣類乾燥装置において、内部流路は、ヒーターが配置され、吸込口から吸い込んだ空気を吹出口に流す第１内部流路と、第１内部流路のヒーターの上流側から分岐し、吸込口から吸い込んだ空気を吹出口に流す第２内部流路と、浴室衣類乾燥時において、第１内部流路を閉じると共に第２内部流路を開くことにより、吸込口から吸い込んだ空気を第２内部流路に流す流路開閉手段と、を設けていることを特徴とする浴室衣類乾燥装置。【選択図】図２
2014138672.tif 000002
【特許請求の範囲】
【請求項１】
浴室内に干された衣類の乾燥を行う浴室衣類乾燥装置において、
浴室内の空気を吸い込む吸込口と、
前記吸込口から吸い込んだ空気を浴室内に吹き出す吹出口と、
前記吸込口と前記吹出口とを連通させる流路である内部流路と、
前記吸込口から吸い込んだ空気を、前記吹出口に向かわせる送風機と、
前記内部流路に配置され、前記内部流路を流れる空気に熱を供給するヒーターと、を備えており、
前記内部流路は、前記ヒーターが配置され、前記吸込口から吸い込んだ空気を前記吹出口に流す第１内部流路と、前記第１内部流路の前記ヒーターの上流側から分岐し、前記吸込口から吸い込んだ空気を前記吹出口に流す第２内部流路と、浴室衣類乾燥時において、前記第１内部流路を閉じると共に前記第２内部流路を開くことにより、前記吸込口から吸い込んだ空気を前記第２内部流路に流す流路開閉手段と、を設けていることを特徴とする浴室衣類乾燥装置。
【請求項２】
前記流路開閉手段は、前記第１内部流路と前記第２内部流路との分岐部に設けられ、前記第１内部流路又は前記第２内部流路を開閉するダンパーであることを特徴とする請求項１に記載の浴室衣類乾燥装置。
【請求項３】
前記流路開閉手段は、前記吹出口に設けられ、前記第１内部流路又は前記第２内部流路を開閉するルーバーであることを特徴とする請求項１に記載の浴室衣類乾燥装置。
【請求項４】
前記流路開閉手段は、浴室衣類乾燥時の一部において、前記第１内部流路を閉じると共に前記第２内部流路を開くことにより、前記吸込口から吸い込んだ空気を前記第２内部流路に流すことを特徴とする請求項１乃至請求項３のいずれか１項に記載の浴室衣類乾燥装置。
【発明の詳細な説明】
【技術分野】
【０００１】
本発明は、浴室の空調を行う浴室衣類乾燥装置に関する。
【背景技術】
【０００２】
このような浴室衣類乾燥装置として、浴室から空気を吸い込み、ヒーターを経由させて浴室に向けて吹き出すことにより、浴室内の乾燥等を行うものが知られている。浴室内の乾燥を行う際においては、浴室の壁面を乾燥させるだけではなく、洗濯後の衣類を浴室内に吊り下げておけば、衣類の乾燥をも同時に行うことが可能である。
【０００３】
例えば、下記特許文献１には、シロッコファンで吸い込んだ浴室内の空気をヒーターで暖めた後、浴室の天井に設けられた吹出口から下方に向けて吹き出す構成の浴室衣類乾燥装置が記載されている。従来の浴室衣類乾燥装置によれば、吹出口の下方に吊り下げられた衣類に空気が直接当たるため、短時間で衣類を乾燥させることができる。
【先行技術文献】
【特許文献】
【０００４】
【特許文献１】特開２００７−２０５６４１号公報
【発明の概要】
【発明が解決しようとする課題】
【０００５】
従来の浴室衣類乾燥装置では、衣類乾燥時の使用電力の大半が浴室内から吸い込んだ空気をヒーターで暖める際に使用されている。そこで、衣類乾燥時の使用電力を減らすために、ヒーターをＯＮする時間を短くするとともにヒーターをＯＦＦした時間に浴室内から吸い込んだ空気を衣類に当てて衣類の含まれる水分の蒸発を促進させることが考えられる。
【０００６】
しかしながら、従来の浴室衣類乾燥装置では、浴室内から吸い込んだ空気が一旦ヒーターを通過する構成であるため、浴室内から吸い込んだ空気がヒーターを通過する際に大きな圧力損失が発生してしまう。その結果、吹出口から吹き出される単位時間当たりの風量を多くすることができず、従来のものより多くの空気を衣類に当てることができないという課題があった。
【０００７】
本発明はこのような課題に鑑みてなされたものであり、その目的は、吹出口から吹き出される単位時間当たりの風量を従来のものより多くし、多くの空気を衣類に当てて衣類の含まれる水分の蒸発を促進させ、衣類が乾燥するまでの時間を短くする浴室衣類乾燥装置を提供することにある。
【課題を解決するための手段】
【０００８】
上記課題を解決するために本発明に係る浴室衣類乾燥装置は、浴室内に干された衣類の乾燥を行う浴室衣類乾燥装置において、浴室内の空気を吸い込む吸込口と、前記吸込口から吸い込んだ空気を浴室内に吹き出す吹出口と、前記吸込口と前記吹出口とを連通させる流路である内部流路と、前記吸込口から吸い込んだ空気を、前記吹出口に向かわせる送風機と、前記内部流路に配置され、前記内部流路を流れる空気に熱を供給するヒーターと、を備えており、前記内部流路は、前記ヒーターが配置され、前記吸込口から吸い込んだ空気を前記吹出口に流す第１内部流路と、前記第１内部流路の前記ヒーターの上流側から分岐し、前記吸込口から吸い込んだ空気を前記吹出口に流す第２内部流路と、浴室衣類乾燥時において、前記第１内部流路を閉じると共に前記第２内部流路を開くことにより、前記吸込口から吸い込んだ空気を前記第２内部流路に流す流路開閉手段と、を設けていることを特徴とする。
【０００９】
本発明では、浴室衣類乾燥時において、流路開閉手段が第１内部流路を閉じると共に第２内部流路を開くことにより、吸込口が吸い込んだ空気が大きな圧力損失が発生するヒーターを通過せず、吸込口が吸い込んだ空気が第２内部流路を通過することになる。そのため、吹出口から吹き出される単位時間当たりの風量を従来のものより多くし、多くの空気を衣類に当てて衣類の含まれる水分の蒸発を促進させ、衣類が乾燥するまでの時間を短くすることができる。
【００１０】
また、本発明に係る浴室衣類乾燥装置では、前記流路開閉手段は、前記第１内部流路と前記第２内部流路との分岐部に設けられ、前記第１内部流路又は前記第２内部流路を開閉するダンパーであることも好ましい。
【００１１】
この好ましい態様では、第１内部流路のヒーターの上流側でダンパーが閉じることにより、浴室衣類乾燥時において、吸込口から吸い込んだ空気が第１内部流路のヒーターに当たらないため、吸込口から吸い込んだ空気を滞留させることなく空気の流れの勢いをおとさずに吹出口から吹き出せる。
【００１２】
また、本発明に係る浴室衣類乾燥装置では、前記流路開閉手段は、前記吹出口に設けられ、前記第１内部流路又は前記第２内部流路を開閉するルーバーであることも好ましい。
【００１３】
この好ましい態様では、浴室衣類乾燥時において、使用者がルーバーの開閉状態を直接見れば吹出口のどの部分から空気が吹出されるか分かるため、使用者が吹出される部分に衣類を配置させることにより、衣類が乾燥するまでの時間をより短くすることができる。
【００１４】
また、本発明に係る浴室衣類乾燥装置では、前記流路開閉手段は、浴室衣類乾燥時の一部において、前記第１内部流路を閉じると共に前記第２内部流路を開くことにより、前記吸込口から吸い込んだ空気を前記第２内部流路に流すことも好ましい。
【００１５】
この好ましい態様では、流路開閉手段が、浴室衣類乾燥時の一部において、流路開閉手段が第１内部流路を閉じると共に第２内部流路を開くことにより、浴室衣類乾燥時の一部以外は吸込口から吸い込んだ空気を第１内部流路のヒーターを経由させて吹出口から吹き出すことになる。そのため、衣類が乾きにくい場合であっても、浴室衣類乾燥時の間に確実に衣類を乾燥させることができるようになる。
【発明の効果】
【００１６】
本発明によれば、吹出口から吹き出される単位時間当たりの風量を従来のものより多くし、多くの空気を衣類に当てて衣類の含まれる水分の蒸発を促進させ、衣類が乾燥するまでの時間を短くする。
【図面の簡単な説明】
【００１７】
【図１】本発明の実施形態の浴室衣類乾燥装置を浴室に取り付けた状態を模式的に示す図である。
【図２】本発明の第１実施形態の浴室衣類乾燥装置の断面を示す断面図である。
【図３】本発明の第１実施形態の浴室衣類乾燥装置の断面を示す断面図である。
【図４】本発明の第２実施形態の浴室衣類乾燥装置の断面を示す断面図である。
【図５】本発明の第２実施形態の浴室衣類乾燥装置の断面を示す断面図である。
【発明を実施するための形態】
【００１８】
以下、添付図面を参照しながら本発明の実施の形態について説明する。説明の理解を容易にするため、各図面において同一の構成要素に対しては可能な限り同一の符号を付して、重複する説明は省略する。
【００１９】
この浴室衣類乾燥装置の配置態様について図１を参照しながら説明する。図１に示すように、浴室衣類乾燥装置ＤＭは、浴室ＢＲの天井ＢＲｃに取り付けられるものである。浴室衣類乾燥装置ＤＭは、浴室ＢＲ内の空気を吸い込みヒータを経由させて浴室ＢＲ方向に空気を吹き出すことができる。また、浴室衣類乾燥装置ＤＭは、浴室ＢＲ内の空気を吸い込み、少なくともその一部をダクトＤ１を通して浴室外に排出することもできる。また、浴室衣類乾燥装置ＤＭは、洗面所ＳＲの天井に設けられた吸引口ＳＲ１に繋がるダクトＳＲ２を通して、洗面所ＳＲ内の空気を吸引し、ダクトＤ１を通して浴室外に排出することもできる。
【００２０】
浴室衣類乾燥装置ＤＭは、浴室ＢＲの天井ＢＲｃに形成された矩形の開口部に、送風機であるファン３０等が収められた機能部ＦＢを挿入固定し、その後、フロントパネルＳＰで開口部及び機能部ＦＢを覆った状態で浴室ＢＲに設置される。フロントパネルＳＰは長方形に形成された板状の部材であって、浴室ＢＲの壁面（天井ＢＲｃ）と平行に配置される主面を有しており、当該主面の法線方向を浴室ＢＲ側に向けて配置されるものである。フロントパネルＳＰは、吸込口１０及び吹出口２０を備えている。
【００２１】
吸込口１０は、浴室衣類乾燥装置ＤＭが浴室ＢＲ内の空気を吸い込むための部分であって、フロントパネルＳＰの主面において開口として形成される。また、吹出口２０は、浴室衣類乾燥装置ＤＭが浴室内に空気を吹き出すための部分であって、フロントパネルＳＰの主面において吸込口１０とは離間した位置に開口して形成される。
【００２２】
本発明の実施形態に係る浴室衣類乾燥装置ＤＭは、浴室内の空気を吸い込みヒーターを経由させて浴室方向に吹き出す暖房モードと、浴室内の空気を吸い込み浴室外に排出する換気モードと、浴室内の空気を吸い込みその一部はヒーターＨＴを経由させて浴室方向に吹き出しながら、残りの空気は浴室外に排出する乾燥モードと、を備えると共に、浴室以外の第二室である洗面所等の換気も行うことができるものである。
【００２３】
上述の乾燥モードは、浴室ＢＲ内の空気を吸い込みその一部はヒーターを経由させて浴室ＢＲの方向に吹き出しながら、残りの空気は浴室ＢＲ外に排出する運転モードである。この乾燥モードにおいて浴室衣類乾燥装置ＤＭは、ヒーターを経由させた空気を浴室ＢＲの方向に吹き出すため、浴室ＢＲ内の気温は上昇する。また、浴室ＢＲから吸い込まれた空気の一部は、浴室ＢＲ内の水蒸気と共に浴室ＢＲ外に排出される。その結果、浴室ＢＲ内の湿度は効率的に低下することとなり、浴室衣類乾燥装置ＤＭの下方に洗濯後の衣類を吊り下げた状態で乾燥モードによる運転を行えば、浴室ＢＲの壁面と共に衣類も短時間で乾燥させることができる。
【００２４】
続いて、浴室衣類乾燥装置ＤＭの内部構造について、図２〜４を参照しながら説明する。浴室衣類乾燥装置ＤＭの機能部ＦＢは、その下端においてフランジＦＢｆが形成されており、フランジＦＢｆと天井ＢＲｃとが図示しないボルトで固定されている。また、フロントパネルＳＰは、フランジＦＢｆ全体を覆うように設置され、フランジＦＢｆに対して図示しないボルトで固定されている。
【００２５】
機能部ＦＢの内部、すなわちフロントパネルＳＰの上方には、吸込口１０と吹出口２０とを連通させる内部流路５０が形成されている。内部流路５０は、吸込口１０から吸い込んだ空気が吹出口２０へと流れるための流路である。尚、内部流路５０には、ファン３０よりも下流側で且つ吹出口２０よりも上流側において、内部流路５０から分岐する流路として排出流路６０が接続されている。排出流路はダクトＤ１に接続された流路であって、浴室の外部（例えば屋外）に連通している。内部流路５０と排出流路６０との境界部には、第１ダンパー７０ａが配置されている。第１ダンパー７０ａは、内部流路５０から排出流路６０へ空気が流れる流路の開度を調整するためのものである。第１ダンパー７０ａの動作によって、排出流路６０へ空気が流れる流路の開度が調整される。
【００２６】
ファン３０は、内部流路５０に配置された送風機であって、内部流路５０における空気の流れを発生させるものである。ファン３０の上部には、ファン３０を回転駆動するファンモータ（図示していない）が設けられている。ファン３０は、複数の羽根を円形に並べた所謂シロッコファンと呼ばれるものである。ファンモータが回転すると、ファン３０が回転駆動され、ファン３０の下方から空気を吸い込み、ファン３０の側面から水平方向に空気が放出される。ファン３０の側面から放出された空気は、上流側から下流側へと流れる。
【００２７】
本発明の第１実施形態の浴室衣類乾燥装置ＤＭでは、図２や図３のように、内部流路５０は、ヒーターＨＴが配置され吸込口１０から吸い込んだ空気を吹出口２０に流す第１内部流路５０ａと、第１内部流路５０ａのヒーターＨＴの上流側から分岐し、吸込口１０から吸い込んだ空気を吹出口２０に流す第２内部流路５０ｂと、を設けている。
【００２８】
また、この浴室衣類乾燥装置ＤＭでは、流路開閉手段である第２ダンパー７０ｂが第１内部流路５０ａと第２内部流路５０ｂとの分岐部に設けられており、浴室衣類乾燥時である乾燥モードにおいて、第２ダンパー７０ｂが第１内部流路５０ａを回転して閉じると共に第２内部流路５０ｂを開くことにより、吸込口１０から吸い込んだ空気を第２内部流路５０ｂに流すように構成されている。
【００２９】
そのため、この浴室衣類乾燥装置ＤＭでは、第１内部流路５０ａのヒーターＨＴの上流側を第２ダンパー７０ｂが閉じることにより、浴室衣類乾燥時において、吸込口１０から吸い込んだ空気が第１内部流路のヒーターＨＴに当たることがなくなるため、吸込口１０から吸い込んだ空気を滞留させることなく空気の流れの勢いをおとさずに吹出口から吹出せるようになる。
【００３０】
尚、浴室衣類乾燥時においては、第１内部流路５０ａが閉じている際、安全性を確保するためにヒーターＨＴの通電をＯＦＦにしている。また、第２ダンパー７０ｂが内部風路５０を切替える際は、風切り音が出ないようにファン３０の回転数を落とすか又は停止させるようにする。
【００３１】
また、第１内部風路５０ａの風路断面積よりも第２内部風路５０ｂの風路断面積が小さいことが好ましい。第２内部風路５０ｂの風路断面積が大きくなるほど、吹出口から吹出される空気の風量が大きくなるが、第２内部風路５０ｂの風路断面積をある値以上大きくしても、吹出口から吹出される空気の風量の増加には寄与しない。さらに、第１内部風路５０ａの風路断面積よりも第２内部風路５０ｂの風路断面積を小さくしても、衣類を乾かすのに十分な風量を出すことが可能である。よって、第２内部風路５０ｂの風路断面積を小さくすることで、十分な風量を出す能力をそなえつつ、浴室衣類乾燥装置ＤＭのサイズをコンパクトにすることができる。
【００３２】
本発明の第２実施形態の浴室衣類乾燥装置ＤＭでは、図４や図５のように、内部流路５０は、ヒーターＨＴが配置され吸込口１０から吸い込んだ空気を吹出口２０に流す第１内部流路５０ａと、第１内部流路５０ａのヒーターＨＴの上流側から分岐し、吸込口１０から吸い込んだ空気を吹出口２０に流す第２内部流路５０ｂと、を設けている。
【００３３】
また、この浴室衣類乾燥装置ＤＭでは、流路開閉手段であるルーバー８０が吹出口２０に設けられており、浴室衣類乾燥時において、第１内部流路５０ａをスライドして閉じると共に第２内部流路５０ｂを開くことにより、吸込口１０から吸い込んだ空気を第２内部流路５０ｂに流すように構成されている。
【００３４】
そのため、この浴室衣類乾燥装置ＤＭでは、浴室衣類乾燥時において、使用者がルーバー８０の開閉状態を直接見れば吹出口２０のどの部分から空気が吹出されるか分かるため、使用者が吹出される部分に衣類を配置させることにより、衣類が乾燥するまでの時間をより短くすることができるようになる。
【００３５】
ここで、ルーバー８０とは、第１内部流路５０ａの下流側又は第２内部流路５０ｂの下流側を一枚の板状部材が回動して空気の流路を開閉するものや、第１内部流路５０ａの下流側又は第２内部流路５０ｂの下流側で複数の羽根部材の間に形成される隙間を可変して空気の流路を開閉するものなども含まれる。
【００３６】
また、本発明の実施形態の浴室衣類乾燥装置ＤＭでは、流路開閉手段は、浴室衣類乾燥時の一部において、前記第１内部流路を閉じると共に前記第２内部流路を開くことにより、前記吸込口から吸い込んだ空気を前記第２内部流路に流すことも好ましい。浴室衣類乾燥時の一部以外は吸込口１０から吸い込んだ空気を第１内部流路５０ａのヒーターＨＴを経由させて吹出口２０から吹き出すことになる。そのため、衣類に当てて衣類の含まれる水分の蒸発を促進させても衣類が乾きにくい場合であっても、浴室衣類乾燥時の間に確実に衣類を乾燥させることができるようになる。
【００３７】
暖房モードにおいては、第１ダンパー７０ａが排出流路６０を完全に閉鎖した状態となり、吸込口１０から吸い込まれた空気はヒーターＨＴで加熱された後、吹出口２０から浴室ＢＲ内に吹き出す。ヒーターＨＴは、内部流路５０に設けられた電気ヒーターであって、吹出口２０から吹き出す空気を加熱するものである。尚、ヒーターＨＴは常に空気を加熱するものではなく、浴室衣類乾燥装置ＤＭの運転モードに応じて、加熱のＯＮ／ＯＦＦが適宜制御される。乾燥モードにおいては、図２〜４のように、第１ダンパー７０ａの開度が調整され、吸込口１０から吸い込まれた空気の一部は排出流路６０を通じて浴室ＢＲの外部に排出される一方、残りはヒーターＨＴを経由して吹出口２０を通過し浴室ＢＲに吹き出す。換気モードにおいては、第１ダンパー７０ａは排出流路６０を開状態とするため、吸込口１０から吸い込まれた空気は、排出流路を通じて浴室ＢＲの外部に排出される。
【００３８】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００３９】
１０：吸込口
２０：吹出口
３０：ファン
５０：内部流路
６０：排出流路
７０ａ：第１ダンパー
７０ｂ：第２ダンパー
８０：ルーバー
ＢＲ：浴室
ＢＲｃ：天井
Ｄ１：ダクト
ＤＭ：浴室衣類乾燥装置
ＦＢ：機能部
ＦＢｆ：フランジ
ＨＴ：ヒーター
ＳＰ：フロントパネル
ＳＲ：洗面所
ＳＲ１：吸引口
ＳＲ２：ダクト
【図１】
2014138672.tif 000003
【図２】
2014138672.tif 000004
【図３】
2014138672.tif 000005
【図４】
2014138672.tif 000006
【図５】
2014138672.tif 000007